(57)【特許請求の範囲】
【請求項１】
各々のはしごが、横方向に間隔を空けて垂直に伸張する１対の細長いガイド部材（３０）と、垂直方向に間隔を空けた位置で前記ガイド部材の間を連結する横方向に伸張した複数の横桟（３２）とを含む少なくとも２つの長手方向に間隔を空けたはしご（２６）と、
前記はしご（２６）を操作するための制御システム（２２）と、
連続する上面（４０）と下面（４２）及び長手方向に伸張した両側端部を有し、前記はしごそれぞれの横桟（３２）に支持されている、少なくとも１つの水平な長手方向に伸張した管状の羽根板（３４）と、
前記羽根板（３４）の前記上面（４０）及び下面（４２）の一方の取り付け位置を前記横桟（３２）に固着するための、前記羽根板（３４）の前記上面及び下面の一方と前記横桟（３２）とを接着させる接着剤（４６）と、
を備えていることを特徴とする建築物開口部用のカバー（２０）。
【請求項２】
取り付け位置は前記羽根板（３４）の前記長手方向の両端部の中間位置にあることを特徴とする請求項１に記載のカバー。
【請求項３】
前記接着剤は、ビード状の接着剤（４６）の形態であることを特徴とする請求項１に記載のカバー。
【請求項４】
前記接着剤は透明であることを特徴とする請求項３に記載のカバー。
【請求項５】
前記接着剤は、前記羽根板の色に適合するように色付けされていることを特徴とする請求項３または４に記載のカバー。
【請求項６】
前記接着剤は熱硬化性であることを特徴とする請求項４または５に記載のカバー。
【請求項７】
前記接着剤はホットメルトであることを特徴とする請求項３から６のいずれかに記載のカバー。
【請求項８】
前記羽根板（３４）の前記上面（４０）及び下面（４２）は平坦であることを特徴とする請求項１から７のいずれかに記載のカバー。
【請求項９】
前記羽根板（３４）の前記上面（４０）及び下面（４２）は弧状であることを特徴とする請求項１から７のいずれかに記載のカバー。
【請求項１０】
前記上面（４０）及び下面（４２）の両方が凸面であることを特徴とする請求項９に記載のカバー。
【請求項１１】
前記上面（４０）及び下面（４２）の内の一方は凸面であり、他方は凹面であることを特徴とする請求項９に記載のカバー。
【請求項１２】
前記取り付け位置は、前記下面（４２）上にあることを特徴とする請求項１から１１のいずれかに記載のカバー。
【請求項１３】
前記取り付け位置は前記長手方向に伸張した側縁部から等距離の位置にあることを特徴とする請求項１から１２のいずれかに記載のカバー。
【請求項１４】
前記羽根板（３４）上に２つ以上の複数の前記取り付け位置があることを特徴とする請求項１から１３のいずれかに記載のカバー。
【請求項１５】
前記羽根板（３４）上に２つの取り付け位置があることを特徴とする請求項１４に記載のカバー。
【請求項１６】
前記取り付け位置は、前記羽根板の長手方向端部の内の一方に、前記羽根板の長手方向端部の内の他方よりも、近いことを特徴とする請求項１から１２，１４，１５のいずれかに記載のカバー。
【請求項１７】
前記羽根板（３４）の前記長手方向に伸張する両端部間の横方向の距離は、前記はしご（２６）のそれぞれの上下に隣接する横桟と横桟との間の上下方向の間隔よりも長いことを特徴とする請求項１から１６のいずれかに記載のカバー。
【請求項１８】
前記横桟（３２）の横方向の長さは、前記羽根板（３４）の前記長手方向に伸張する両端部間の横方向の距離よりも長いことを特徴とする請求項１７に記載のカバー。
【請求項１９】
複数の前記羽根板が複数の前記横桟に固定されていることを特徴とする請求項１から１８のいずれかに記載のカバー。
【請求項２０】
前記羽根板（３４）は木製であることを特徴とする請求項１９に記載のカバー。
【請求項２１】
前記羽根板（３４）はそれぞれ、凸面の弧状上面及び下面を有する管状の羽根板であり、前記横桟（３２）のそれぞれの長さは、少なくとも、前記羽根板（３４）のそれぞれの長手方向に伸張する両端部間の前記横方向の距離に前記羽根板（３４）の最大厚さを加えた長さであることを特徴とする請求項１９に記載のカバー。
【請求項２２】
前記羽根板（３４）のそれぞれは概ね長方形の横断面を有しており、前記上面と下面の間の距離が羽根板の厚みを画定しており、前記横桟（３２）のそれぞれの横方向の長さは、羽根板（３４）のそれぞれの前記長手方向に伸張する両端部間の前記横方向の距離に、前記羽根板（３４）の厚さの２倍を加えた長さと等しいことを特徴とする請求項１９または２０に記載のカバー。
【請求項２３】
前記羽根板（３４）のそれぞれは、それぞれの横桟上の横方向中央に配置されていることを特徴とする請求項１９から２２のいずれかに記載のカバー。
【請求項２４】
前記細長いガイド部材及び前記横桟（３２）はひもであることを特徴とする請求項１から２３のいずれかに記載のカバー。
【請求項２５】
前記はしごの前記ガイド部材が吊下されるヘッドレール（２２）をさらに備えることを特徴とする請求項１から２４のいずれかに記載のカバー。
【請求項２６】
フットレール（２８）と、前記ヘッドレール（２２）から前記ガイ
ド部材が伸張していて、前記フットレール（２８）を上げ下げするために、前記ヘッドレール（２２）内のリフト機構に前記ガイド部材が連結されており、前記それぞれのはしご（２６）の第１リフト部材は、このはしごの前記ガイド部材の一方のガイド部材に隣接して配置されており、各はしご（２６）の第２リフト部材は、このはしごのガイド部材の内の他方のガイド部材に隣接して配置されていることを特徴とする請求項２５に記載のカバー。
【請求項２７】
それぞれの前記横桟（３２）は、多数のストランドを有するコードを備えており、各はしご（２６）の前記第１及び第２リフト部材の内の少なくとも１つは、前記横桟（３２）のそれぞれと絡み合っていることを特徴とする請求項２６に記載のカバー。
【請求項２８】
前記羽根板の前記上面（４０）及び下面（４２）には貫通する開口がないことを特徴とする請求項１から２７のいずれかに記載のカバー。
【発明の詳細な説明】
【０００１】
（関連出願に関する説明）
本出願は、２０００年１２月２２日出願の米国仮特許出願第６０／２５８，１５８号、及び２００１年７月１６日出願の米国仮特許出願第６０／３０５，９９６号により優先権を主張するものである。
【０００２】
（発明の属する技術分野）
本発明は、一般的には建築物の開口部用のカバーに、より厳密には、支持ばしごに羽根板が取り付けられているベニス式ブラインド型カバーに関する。
【０００３】
（関連技術）
建築物開口部用のカバーは時代によって様々であり、その形態は膨大な数に上る。最初は、布が、窓や戸口、アーチ道などの建築物の開口部にだらりと掛けられていたにすぎない。これら初期の粗雑なカバー形態が、ひだ付きの布やカーテンなどに発展し、美しくて実用的な所望の機能を提供するために適切な布地で作られるようになった。ベニス式ブラインドは、建築物の開口部用のカバーとしてもう１つの人気のある形状であり、水平に配置された複数の羽根板が、建築物の開口部一面に均等に配置される伸張位置と、羽根板が開口部の上部近傍に垂直に重ねられる収縮位置との間を移動できるように、テープ又はひも状のはしごで支持されている。羽根板は、開位置と閉位置との間で長手方向の水平軸の周りに傾斜又は回転可能となっていて、羽根板の平面は、開位置では水平に配置され羽根板の間に空間ができ、閉位置ではそれより垂直に配置され、互いに重なり合ってブラインドを通過する視覚を遮るようになっている。はしごの両側の垂直部材を互いに逆方向に動かして、両垂直部材を垂直方向に間隔を開けた位置で連結し且つ羽根板を支持している横桟を傾ければ、羽根板を、開位置と閉位置との間で動かすことができる。
【０００４】
従来型のベニス式ブラインドの羽根板は、羽根板を支えている横桟を傾斜させることによって開位置と閉位置との間で傾けると、通常、長手方向の水平軸周りに９０度近くまでは回るが、羽根板が閉位置で隣接する羽根板と重なっても、羽根板の間には光が通過できるギャップが残る。回されるときに、羽根板の下部端が、垂直部材と、羽根板を支える連結した横桟との間の股内に捕捉されている限り、羽根板は９０度一杯は回転しない。
【０００５】
羽根板を実質的に垂直な方位にまで回転させることによって閉じられたベニス式ブラインドを通過する光の遮光性を高めるためには、羽根板を９０度以上又は９０度直近まで更に回転させることが望ましいが、現在までこれは、長年使用されている従来型のテープ又はコード状はしごを使用して達成されてはいない。
【０００６】
英国の明細書番号第１，１６５，２４３号によっても明らかなように、ベニス式ブラインドの羽根板を通過する光の通路を更に遮断するために様々な試みがなされてきたが、そのような試みは美的欠点を有している。例えば、英国特許に記載されているシステムでは、ベニス式ブラインドの羽根板には、通常、リフトコードを通すための穴があるが、その穴が削除され、リフトコードがコード状はしごの垂直部材に沿って複雑に絡み合っている。羽根板を適所に保つために、垂直なブラインドの羽根板にタブがパンチされ、コード状はしごの対応する横桟をクランプして、羽根板がコード状はしごに対して滑らないようにしながら、一方ではリフトコードを削除することなくそれを削除できるようにしている。理解頂けるように、そのようなシステムでは、タブが、羽根板の本体からパンチされ、従って羽根板の１つの面から突き出ているために、見栄えが悪いし、更に、光がタブの後ろ側のパンチされた穴を通過するので望ましくない。
【０００７】
従って、本発明は、従来技術によるブラインド、シェード等の欠点を克服し、閉位置にあるときの遮光性を改良したベニス式ブラインドを提供し、ブラインド又はシェードを、見た目も美しい方法によって、長手方向に所定の位置で上昇させるための新しいシステムを提供するために開発された。
【０００８】
（発明の概要）
本発明の１つの態様によれば、一対の垂直部材又はガイドコードと、ベニス式ブラインドの羽根板を支持するための複数の垂直に間隔を空けて設けられた横桟とを有するベニス式ブラインドに用いられる従来型のはしごは、ガイドコードに互いに逆の垂直方向運動をさせることによって横桟が傾斜したときに、関連する羽根板が横桟によって持ち上げられ垂直又はほぼ垂直な方位を呈するように、横桟を関連する羽根板の表面に接合させるために、各横桟上に接着剤のような目障りでないコネクタを更に含んでいる。
【０００９】
従って、ベニス式ブラインドが建築物の開口部一面に伸張され、滑らかで穴もなく実質的に連続した面を有する羽根板が、両ガイドコードに逆の垂直方向運動をさせることによって水平方向軸周りに傾斜させられると、羽根板は実質的に水平な開位置から実質的に垂直な閉位置に移行する。各羽根板の幅は隣接する横桟と横桟との間の間隔よりも長くなっているので、羽根板がブラインドの閉位置で実質的に垂直に配置されているときには、羽根板が重なり合い、次に隣接する羽根板と係合するように付勢され、光がカバーを通過するのを阻止する。
【００１０】
本発明の原理が垂直なブラインド、シャッター、シェード等にも適用できることは、以下の説明で理解頂けるであろう。
本発明のこの他の態様、特徴、詳細は、以下の好適な実施例の詳細な説明を添付図面と関連付けて参照し、特許請求の範囲を読んで頂ければ、更によく理解されるであろう。
【００１１】
（好適な実施例の詳細な説明）
本発明を組み込んでいる、建築物の開口部用カバー２０の例を図１に示しており、従来型のカバー用の作動制御要素（図示せず）を格納するヘッドレール２２と、前記ヘッドレールの一端から吊り下げられている、カバーの前記制御要素を操作するための一対の制御細棒２４と、システムの作動制御要素から吊り下げられ、水平な下部レール２８を最下部端に支持している一対のコード状はしご２６と、カバーを伸張位置と収縮位置との間で動かすために、制御要素から下部レールまで伸張している、各はしごと関連付けられているリフトコード２９（図１６及び１７）とを備えている。図５−８を見ればよく分かるが、各コード状はしごは、垂直方向に等間隔な位置で横桟又は横断はしご３２により相互連結されている一対の垂直に間隔を空けて設けられた縦部材又はガイドコード３０を含んでいる。図示の実施例では、ガイド要素及び横桟はコード形状であるが、テープ等を含む別の柔軟な要素を本発明と調和して用いることもできる。カバーは、垂直方向に間隔を空けて設けられた、水平に伸張するか又は配置されている複数の羽根板３４を更に含んでいる。羽根板は滑らかで、中実で、穴がなく、長さ方向に中断されていないもの（例えば木）でもよいが、図１に示されているような、連続した、穴のない、中断されていない管状の羽根板でもよく、一方の垂直なガイドコードに隣接している左側端部３６と、他方の垂直なガイドコードに隣接している右側端部３８と、上部面４０と、下部面４２とを有しており、前記下部面は、はしごの関連する横桟３２上に支持されている。理解頂けるであろうが、本発明によるカバー２０は、従来型のベニス式ブラインドによく似てはいるが、以下に詳細に述べるように、本カバーはベニス式ブラインドを改良したもので、羽根板３４がはしご２６の支持横桟３２にコネクタで固定されているので、羽根板がカバーの操作の間確実に動くようになっている。更に、羽根板には、開示されている実施例では、多くのベニス式ブラインドの羽根板に見られるような穴がないので、ブラインドを閉じると、光がほぼ完全に遮断される。
【００１２】
図２−４に、従来技術によるベニス式ブラインドに組み込まれた管状の羽根又は羽根板３４を示す。羽根板は、コード状はしご２６の横桟３２上に支持又は載置されており、横桟の両端部にはガイドコード３０があり、横桟はそのガイドコードに取り付けられている。図２では、羽根板は、カバー又はベニス式ブラインドが開位置にある、水平位置にあって、ブラインドの隣接する羽根板と羽根板との間から見通すことができ、光を通すことができる。図３は、矢印で示されているように右側ガイドコードが上向きに動かされ、左側ガイドコードが下向きに動かされ、羽根板を支えている横桟が傾いた場合で、羽根板は角度の付いた位置にある。図４は、両ガイドコードを互いに垂直逆方向に極限まで動かした場合の羽根板の位置を示しており、お分かり頂けるように、股部４４は、左側ガイドコードと、横桟が左側ガイドコードに取り付けられている箇所の横桟との間に画定されている。羽根板の左側端部３６は、股部４４内に捕捉されており、股部４４が羽根板を図示の角度位置に拘束している。つまり、羽根板は、最大角度まで回転されても、垂直に向くのではなく、垂直に対して鋭角を形成している。図示してはいないが、一般的にベニス式ブラインドの羽根板は、両側端部間の寸法が、羽根板を支持している横桟３２と横桟３２の間の垂直方向の間隔よりも広くなっているので、ブラインドが図４に示されているような閉位置にある場合には、羽根板が垂直方向で重なって、ブラインドを通して見通せなくなっていることは理解頂けよう。しかしながら、羽根板が垂直位置を取らないので、実際は、ブラインドが閉位置にあるときでさえ、一般的に羽根板は互いに係合しておらず、隣接する羽根板と羽根板との間に光が入ることになる。
【００１３】
本発明のカバー又はブラインド２０は、従来技術によるベニス式ブラインドの欠点を克服するように設計されており、ブラインドの羽根板３４を、羽根板を支持する横桟３２に、目障りでない方法で取り付け又は固定することによって欠点を克服している。図５−８を参照すれば、ブラインドに用いられている管状の羽根板３４が、水平方向に間隔を開けて設けられ、垂直方向に伸張し、横桟によって垂直方向に等間隔な位置で連結されているガイドコード３０を含むコード状はしご２６の横桟によって載置又は支持されていることがわかる。
【００１４】
図５−８を見ると分かるように、通常、横桟３２の長さは、羽根板の幅よりも長い。一般的に、以下の説明で明白となる理由により、図示形状の管状羽根板３４が用いられる場合は、横断横桟３２は、羽根板の幅よりも、少なくとも羽根板の最大厚み分は長いのが望ましい。長方形形状である木製のブラインド羽根板の場合は、横桟は、木製の羽根板の幅よりも、少なくとも羽根板の厚みの２倍分は長いのが望ましい。更に、例えば図５に示すように、横桟には、羽根板の両側にも余分な長さが等しく配されている。つまり、羽根板は、横桟の長さに関して横桟の中心にくるように配置されている。図５−８に示されている装置では、羽根板は、羽根板の側端部３６と３８の中間位置で、コネクタ４６によって横桟に固定されている。更に、好適な実施例では、図５、１４及び１５に示すように、コード状はしご２６のガイドコード３０の間隔は、載置されている関連する羽根板３４の幅よりも広い。ガイドコード間の間隔は、羽根板３４の幅プラス羽根板の厚みよりも広いのが望ましい。横断横桟が羽根板の幅を越える余分な長さを持っているので、羽根板が閉位置にまで回転された（図７参照）とき、横断横桟の連結位置より下にある部分が弛んだままとなっていることが理解されるであろう。横桟の長さが短すぎると、羽根板が閉位置まで回されたときに、横断横桟３２の下部が突っ張り、それによって、羽根板３４は、中心を越えて上部及び下部の隣接する羽根板に接触する好適な位置にまで回転できないようになる。
【００１５】
羽根板がコネクタ４６で横桟に取り付けられる位置は、レバーアームが、羽根板の横方向の重心（例えば図５に示されているように羽根板の横方向断面図で見た場合）と連結位置との間にある限り、それほど重要ではない。横方向の重心を通って作用する羽根板の重さによって、羽根板の上部は、閉じたとき、連結位置周りに中心を越えるように付勢される。従って、連結位置は、木製羽根板の下面上の何処でもよく、図示されているように、管状の羽根板３４の正に端部を除けば殆ど何処でもよいことが理解されるであろう。例えば、連結位置は、下面の横方向の中間点と羽根板の１つの端部との間に配置してもよい。ある実施例では、羽根板は、２つ以上のコネクタ４６によって横桟上の２つ又はそれ以上の連結位置で横桟に固定されている。羽根板の両端部に非常に近接して、横桟に２つのコネクタを配置すれば、横桟の１部分が羽根板の下から滑り出るのを防ぐのに役立つことが分かっている。連結位置を羽根板の上面上に配置して、それによって、羽根板をそれに付随する横桟から吊り下げるようにすることもできることは理解されるであろう。特に指摘しておくが、図１５に示すような一般的なアルミニウムのベニス式ブラインド羽根板では、連結位置は、凹面側ではなく凸面側の羽根板の中心近傍に配置して、横方向の重心とで形成される適切なレバーアームを確保し、閉じられたときに、アルミニウムの羽根板の上端部が中心を越えて引っ張られるようにするのが望ましい。
【００１６】
コネクタ４６はビード状の接着剤の形態であるのが望ましく、例えばホットメルト接着剤か又は熱硬化性接着剤でもよく、目障りでないように、即ち、実質的に見えず、羽根板の滑らかな連続面を視覚的に損なわないように、透明であるか又は羽根板の色に合っているのが望ましい。
【００１７】
図６に示すように、１つの羽根板３４を支持している両側のガイドコード３０が互いに逆方向に動かされ横桟が傾斜すると、完全に羽根板が横桟に張り付いている間は、羽根板も、支持している横桟の傾斜に従って傾斜する。図７では、両ガイドコードは、互いに逆方向に最大に動かされており、理解頂けるように、羽根板は、その連結されている横桟と共に動かされ、長手方向の端部３６及び３８が垂直に整列する、垂直な姿勢をとるようになる。羽根板の下部即ち左側長手方向端部３６は、従来技術によるシステムのように、股４４内に閉じこめられるようになっているのではなく、両ガイドコードの間の中心位置まで引っ張られるので、羽根板がその端部上に垂直な姿勢をとる。
【００１８】
図８に示すように、羽根板は、図７の垂直位置まで動かされると、羽根板の横方向の重心がコネクタ４６から離れた「ｘ」位置（図６に示すように）にあってレバーアーム４７を形成しているので、羽根板の上部は（邪魔されなければ）実際には中心を越えて反時計回りに回転するよう付勢される。
【００１９】
理解頂けるように、コネクタ位置４６が、図１８に示されているように、長手方向の中心から羽根板の幅方向に外れて配置されていれば、羽根板は垂直方向まで、好ましくはそれを越えて動くよう付勢される。重心と連結位置との間の距離によって形成されるレバーアーム４７の長さが長くなると、羽根板は、連結位置周りに、例えば図１８に示されているように反時計回りに実質的に回転する。ベニス式ブラインドカバーを利用する場合、羽根板の上部又は下部が隣接する羽根板の上部又は下部と当たって、この付勢が止められる。
【００２０】
図１２及び１３を参照すると理解できるように、中心を越えるようとする羽根の付勢は、隣接する羽根と羽根との間に遮光シールを確立するのに有効である。複数の羽根３４がある場合、羽根が閉位置にあるときには羽根と羽根とがその端部に沿って干渉し、その干渉のために、羽根は完全に垂直に向くのを妨げられるが、各羽根の重心が、羽根を中心を越えた位置に向けて付勢するので、羽根は、次の隣接する羽根に向かって傾き上部及び下部の端部分でこれと係合し、隣接する羽根との間に遮光シールを確立する。図２−４に関して先に述べたが、従来技術による羽根の垂直位置に向かう動きは、羽根が隣接する羽根と接触する前に横断横桟の股部４４によって止められる。
【００２１】
コード状はしご２６と羽根板３４との間の相互関係は、図９−１１に最もよく示されており、図９は、羽根板と、隣接するコード状はしごの関連する横桟３２との間の支持関係を示しており、図１０は、羽根板と関連する横桟との取り付け状態を示しており、図１１は、羽根板の長手方向の両端部間の中間位置における接続を示すために、下に配置されている横桟に対して羽根板を故意に持ち上げて示している。
【００２２】
横桟が、先に述べた一般最小距離以上ではない場合には特に、羽根板を横桟上の中心に据えることが望ましいことは理解頂けよう。横桟が羽根板の幅に比べて十分に長くない場合は、羽根板が垂直位置に向けて動かされる場合に、横桟がピンと引っ張られるときに横桟によって加えられる張力は、羽根板がその垂直位置に達するのを阻止するに十分なので、先に述べたように、羽根板の上部端を中心を越えて引っ張ることができる。
【００２３】
羽根板は、関連する横桟上にその下面４２に沿って支持されているように図示されているが、羽根板の上面４０を横桟に固定し、羽根板を横桟から吊り下げるような別の配置（図示せず）とすることもできることを理解されたい。そのような配置でも、羽根板を隣接する羽根板と係合させるために実質的に垂直な位置まで動かして、隣接する羽根板と羽根板との間に遮光シールを確立することができるように、羽根板の位置を横桟の動きによって完全に制御することができる。
【００２４】
本発明の上記実施例における羽根板は、凸上面又は壁４０及び底面又は壁４２で構成されている管状体として示されているが、羽根板は実際には、図１４に示されているように、平らな上面と下面とを備えた平らで滑らかな羽根板４８であってもよく、図１５に示されているように、凹面の上部壁５４及び凸面の下部壁５２を備えた（典型的なアルミニウム製のベニス式羽根板のような）滑らかな弓形の羽根板５０であってもよい。
【００２５】
本発明のもう１つの重要な特徴は、ベニス式ブラインドの羽根板に一般的に見られるような、リフトコードを通すための羽根板を貫く穴又は他の開口を設ける必要無しに動きを制御するために、羽根板をはしごに完全に連結することができるという事実である。リフトコードは、通常、ヘッドレール内の制御システムから下向きに伸張し、複数の羽根板に整列配置されている穴を通ってボトムレールまで繋がっている。リフトコードを上昇させると、ボトムレールがヘッドレール方向に引き上げられ、その結果、ヘッドレールとボトムレールの間に羽根板が垂直に積み重ねられる。これによって、ベニス式ブラインドは、ボトムレールがヘッドレールに隣接して配置され、その間に羽根板が積み重ねられる収縮位置と、ボトムレールが重力によってヘッドレールから垂直に下がり、羽根板が建築物の開口部一面に均等に分布されるようになっている伸張位置との間を移動することができる。リフトコードを通すため羽根板に穴が設けられている従来型のベニス式ブラインドの欠点は、羽根板が実質的に垂直な位置にまで傾けられ、窓のカバーが閉じられたときでさえ、光が、リフトコードを通す羽根板の穴を通過できるという事実である。
【００２６】
図１６及び１７に示されているように、本発明では、リフトコード２９は、ガイドコード３０の１つに隣接して下方向に伸張するか、又はガイドコード３０の１つと組み合わされて、リフトコードを適所に保つ選択されたはしごの横桟３２に絡み合わされるのが望ましい。はしごの横桟は、共に羽根板を支持する少なくとも２つのストランドから構成されているのが望ましい。リフトコードは、ボトムレール２８と連結するためにガイドコードに隣接して下方向に曲がりくねって進むとき、横桟３２の両ストランドの間を通過させてもよい。リフトコード２９の一方はベニス式ブラインドの前方のガイドコードに沿って伸張し、隣接するはしごの隣接するリフトコードはベニス式ブラインドの後方のガイドコードに沿って伸張していて、ボトムレールがリフトコードによって引き上げられるとき、ボトムレールが平行に引き上げられるようになっているのが望ましい。
【００２７】
以上、ベニス式ブラインドは、ブラインドの羽根板の位置を完全に制御して、ブラインドが閉位置に動かされるとき、遮光シールされる状態になるまで羽根板を動かせることを説明してきたが十分に理解頂けたであろう。更に、羽根板が単に横桟上に無拘束に配置されており、そのために羽根板が互いに異なる角度を取ることが多くて、視覚上美的に目障りでブラインドの操作人にも不快であった従来型のベニス式ブラインドを改良して、羽根板を関連する横桟に完全に接続させているので、羽根板は、常に互いに一様に保持されていることも理解頂けたであろう。羽根板は、滑らかで連続した中断のないものであり、穴を設ける必要がないので、ブラインドを閉じたとき、光の通過を完全に遮断することができる。
【００２８】
本明細書に示されている管状の羽根板は「建築物開口部用カバーのための管状羽根板」と題する２０００年７月１８日出願の同時係属出願（米国特許出願第６０／２１９、０３９号）に更に詳しく記載されており、本発明の実施例を組み込んだベニス式ブラインドは「建築物開口部用のシャッタータイプのカバー」と題する同日出願の同時係属仮出願（米国特許出願第６０／３０５、９４７号）に更に詳しく記載されており、これらに関し優先権を請求するものであり、これら全体を参考文献としてここに援用する。
【００２９】
以上、本発明を一定の範囲に特定して説明してきたが、本開示は例を使って行ったものであり、特許請求の範囲に定める本発明の精神から逸脱することなく、細部又は構造において変更がなされうることは理解頂けるであろう。
【図面の簡単な説明】
【図１】  本発明によるベニス式ブラインドを示す破断等角図であり、羽根板は管状形状であり、ブラインドは伸張されて開いた状態にある。
【図２】  ベニス式ブラインドの管状の羽根を支持するための、従来技術によるシステムの破断側面図である。
【図３】  従来技術によるシステムの図２と同様な側面図であり、羽根を支持している横桟を傾斜させるためにガイドコードが垂直に動かされた状態を示している。
【図４】  従来技術によるシステムの図３と同様な側面図であり、従来技術によるシステムの管状の羽根が最大限に傾斜している状態を示している。
【図５】  本発明による、羽根をはしごに固定するためのコネクタを含んでいる、はしごに支持されている管状の羽根の破断側面図である。
【図６】  図５と同様な側面図であり、羽根を支持している横桟を傾斜させるために、はしごのガイドコードが互いに逆方向に動かされている状態を示している。
【図７】  図５と同様な側面図であり、羽根がガイドコードの垂直運動によって９０度傾いた状態を示している。
【図８】  図７と同様な側面図であり、羽根が、重力によって、図７に示した垂直な方位を越えて動かされている状態を示している。
【図９】  本発明による、一対のはしごに支持されている羽根の下から上向きに見た破断等角図である。
【図１０】  図９の１０−１０線に沿う拡大断面図である。
【図１１】  図１０と同様な断面図であり、ガイドコードの間隔が広げられ、羽根が羽根を支持している横桟に対して故意に持ち上げられている状態を示している。
【図１２】  本発明によるベニス式ブラインドの側面図であり、ブラインドは伸張され、閉位置にあり、各羽根が次の隣接する羽根と係合している状態を示している。
【図１３】  本発明のベニス式ブラインドの拡大破断垂直断面図であり、隣接する羽根の係合関係を拡大して示している。
【図１４】  本発明の第２実施例の側面図であり、ベニス式ブラインドの羽根は管状ではなく平坦である。
【図１５】  別の実施例を示す図１４と同様な側面図であり、羽根は平坦又は管状ではなく弧状である。
【図１６】  本発明を組み込んだベニス式ブラインドを上から見た破断等角図であり、ブラインド用のリフトコードが垂直なガイドコードと絡み合っている。
【図１７】  当該ベニス式ブラインドを下から見た、図１６と同様な破断等角図である。
【図１８】  図８と同様な側面図であるが、羽根が羽根の一方の端部に近い位置で横断横桟に固定されている。
【図１】
0004150517.tif 000002
【図２】
0004150517.tif 000003
【図３】
0004150517.tif 000004
【図４】
0004150517.tif 000005
【図５】
0004150517.tif 000006
【図６】
0004150517.tif 000007
【図７】
0004150517.tif 000008
【図８】
0004150517.tif 000009
【図９】
0004150517.tif 000010
【図１０】
0004150517.tif 000011
【図１１】
0004150517.tif 000012
【図１２】
0004150517.tif 000013
【図１３】
0004150517.tif 000014
【図１４】
0004150517.tif 000015
【図１５】
0004150517.tif 000016
【図１６】
0004150517.tif 000017
【図１７】
0004150517.tif 000018
【図１８】
0004150517.tif 000019